(57)【要約】【課題】サイズ原稿をコピーする場合に、余白領域を有効に活用することができる画像形成装置を提供する。【解決手段】コンタクトガラスに載置された載置原稿の画像データを読み取る原稿読取部１２と、原稿読取部１２によって読み取られた画像データを記録紙に印刷する印刷部１５とを備えた画像形成装置１０であって、載置原稿が、記録紙に印刷を行った際に余白領域が生じてしまう予め設定された定型原稿であるか否かを判定する定型印刷判定部３２と、載置原稿が定型原稿である場合、余白領域に予め設定された余白印刷物を合成し、定型原稿と共に、余白領域に余白印刷物が合成された画像データを印刷部１５によって印刷させる余白印刷制御部３３と、を備えている。【選択図】図１
2018157295.tif 000002
【特許請求の範囲】
【請求項１】
コンタクトガラスに載置された原稿の画像データを読み取る原稿読取部と、該原稿読取部によって読み取られた画像データを記録紙に印刷する印刷部とを備えた画像形成装置であって、
コンタクトガラスに載置された載置原稿が、前記記録紙に印刷を行った際に余白領域が生じてしまう予め設定された定型原稿であるか否かを判定する定型印刷判定部と、
前記載置原稿が定型原稿である場合、前記余白領域に予め設定された余白印刷物を合成し、前記定型原稿と共に、前記余白領域に前記余白印刷物が合成された画像データを前記印刷部によって印刷させる余白印刷制御部と、を具備することを特徴とする画像形成装置。
【請求項２】
前記余白印刷制御部は、前記定型原稿の周辺に確保する周辺余白領域の設定を受け付け、前記周辺余白領域以外の前記余白領域に前記余白印刷物を合成することを特徴とする請求項１記載の画像形成装置。
【請求項３】
前記余白印刷制御部は、前記余白印刷物の合成を許可する合成許可領域の設定を受け付け、前記合成許可領域に前記余白印刷物を合成することを特徴とする請求項１又は２記載の画像形成装置。
【請求項４】
前記余白印刷制御部は、前記定型原稿の印刷位置の移動の可否を確認し、移動可の場合、画像データ内の前記定型原稿の位置を端部側に変更する請求項１乃至３のいずれかに記載の画像形成装置。
【請求項５】
前記余白印刷制御部は、画像データ内の前記定型原稿及び前記余白印刷物における各辺を端部、定型原稿もしくは余白印刷物に到達するまで延ばした線を切り取り線として生成して印刷させることを特徴とする請求項１乃至４のいずれかに記載の画像形成装置。
【発明の詳細な説明】
【技術分野】
【０００１】
本発明は、複写機や複合機（ＭＦＰ：Multi-Function Peripheral）等の画像形成装置に関する。
【背景技術】
【０００２】
画像形成装置において、読み取った画像データから余白領域を抽出し、余白領域に収まる画像領域を他の画像データ中に検索し、該当する画像領域があった場合にその画像部分を余白部分に合成して画像形成する技術が提案されている（例えば、特許文献１参照）。
【先行技術文献】
【特許文献】
【０００３】
【特許文献１】特開２００５−２０６６号公報
【発明の概要】
【発明が解決しようとする課題】
【０００４】
しかしながら、従来技術では、複数枚の原稿を読み取ることを前提としており、免許証、保険証等の小サイズ原稿を１枚だけコピーする際には、適用することができない。小サイズ原稿のコピーにおいて、同じサイズの記録紙がないので、大きいサイズの記録紙にコピーした後、余白領域を必要に応じてハサミで切り取って使用する場合がある。この場合、余白部分が無駄になってしまう。
【０００５】
本発明は、上記問題点を鑑みてなされたものであり、その目的とするところは、小サイズ原稿をコピーする場合に、余白領域を有効に活用することができる画像形成装置を提供することを目的とする。
【課題を解決するための手段】
【０００６】
本発明の画像形成装置は、コンタクトガラスに載置された原稿の画像データを読み取る原稿読取部と、該原稿読取部によって読み取られた画像データを記録紙に印刷する印刷部とを備えた画像形成装置であって、コンタクトガラスに載置された載置原稿が、前記記録紙に印刷を行った際に余白領域が生じてしまう予め設定された定型原稿であるか否かを判定する定型印刷判定部と、前記載置原稿が定型原稿である場合、前記余白領域に予め設定された余白印刷物を合成し、前記定型原稿と共に、前記余白領域に前記余白印刷物が合成された画像データを前記印刷部によって印刷させる余白印刷制御部と、を具備することを特徴とする。
さらに、本発明の画像形成装置において、前記余白印刷制御部は、前記定型原稿の周辺に確保する周辺余白領域の設定を受け付け、前記周辺余白領域以外の前記余白領域に前記余白印刷物を合成しても良い。
さらに、本発明の画像形成装置において、前記余白印刷制御部は、前記余白印刷物の合成を許可する合成許可領域の設定を受け付け、前記合成許可領域に前記余白印刷物を合成しても良い。
さらに、本発明の画像形成装置において、前記余白印刷制御部は、前記定型原稿の印刷位置の移動の可否を確認し、移動可の場合、画像データ内の前記定型原稿の位置を端部側に変更しても良い。
さらに、本発明の画像形成装置において、前記余白印刷制御部は、画像データ内の前記定型原稿及び前記余白印刷物における各辺を端部、定型原稿もしくは余白印刷物に到達するまで延ばした線を切り取り線として生成して印刷させても良い。
【発明の効果】
【０００７】
本発明によれば、免許証や保険証等の小サイズの定型原稿をコピーする場合に、余白領域を有効に活用することができるという効果を奏する。
【図面の簡単な説明】
【０００８】
【図１】本発明に係る画像形成装置の実施の形態の概略構成を示すブロック図である。
【図２】図１に示す余白印刷設定情報例を示す図である。
【図３】図１に示す余白印刷制御部による余白印刷動作を説明するフローチャートである。
【図４】図１に示す操作部に表示される余白印刷確認画面例及び余白印刷物選択画面例を示す図である。
【図５】図１に示す操作部に表示される余白印刷レイアウト設定画面例を示す図である。
【図６】図１に示す余白印刷制御部による余白印刷例を示す図である。
【発明を実施するための形態】
【０００９】
以下、図を参照して本発明の実施の形態を詳細に説明する。
本実施の形態の画像形成装置１０は、複写機能を有し、図１を参照すると、操作部１１と、原稿読取部１２と、記憶部１３と、画像処理部１４と、印刷部１５と、制御部１６とを備えている。
【００１０】
操作部１１は、液晶表示パネルの表面に透明の感圧センサーが設けられた表示手段及び入力手段として機能するタッチパネル、印刷枚数等の数値を入力するためのテンキー、設定情報を初期化させる指示を入力するためのリセットキー、複写動作を停止させたり、入力された数値を消去させたりするためのストップキー、割り込みコピーを指示する割り込みキー、印刷動作を開始させる出力指示を入力するためのスタートキー等の各種操作キーを備えたユーザーインターフェースである。
【００１１】
原稿読取部１２は、図示しない原稿給紙装置により給紙されてきた原稿や、ユーザーによってコンタクトガラスに載置された原稿に対して光を照射し、その反射光等を受光して画像データを読み取るスキャナーである。
【００１２】
記憶部１３は、半導体メモリーやＨＤＤ（Hard Disk Drive）等の記憶手段であり、画像処理用のメモリーや各種設定を記憶するメモリーとして使用される。
【００１３】
また、記憶部１３には、ユーザー情報２１と、余白印刷設定情報２２と、定型印刷判定データ２３と、余白印刷物データ２４とが記憶されている。
【００１４】
ユーザー情報２１は、画像形成装置１０を使用するユーザーを認証するユーザーＩＤと、ユーザーが所属している部署とが関連付けされた情報である。
【００１５】
余白印刷設定情報２２は、図２に示すように、部署毎に、定型原稿と、余白印刷物とが設定されている。定型原稿としては、印刷部１５によって記録紙に印刷を行った際に、余白領域が生じてしまう免許証、保険証等の小サイズ原稿が設定される。余白印刷物は、記録紙の一部分のみを使用する小サイズ印刷物である。余白印刷物としては、例えば、回覧物の表紙に用いられる回覧表やキャビネットの内容物の表示のための保管表が設定される。
【００１６】
定型印刷判定データ２３は、余白印刷設定情報２２に設定されている定型原稿を特定するためのサイズデータ、レイアウトデータ、文字データ、イメージデータ等からなる。
【００１７】
余白印刷物データ２４は、余白印刷設定情報２２に設定されている余白印刷物の印刷データである。余白印刷物データ２４は、例えば、余白印刷物を原稿として原稿読取部１２によって読み取った画像データを登録する。また、図示しない端末装置で作成された余白印刷物の印刷データをネットワークや記憶媒体を経由で登録するようにしても良い。
【００１８】
画像処理部１４は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００１９】
印刷部１５は、記憶部１３に記憶された画像データを印刷する印刷手段である。印刷部１５は、例えば、記憶部１３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００２０】
制御部１６は、ＣＰＵ（Central Processing Unit）、ＲＯＭ（Read Only Memory）、ＲＡＭ（Random Access Memory）等を備えたマイクロコンピュータ等の演算処理回路である。ＲＯＭには画像形成装置１０の動作制御を行うための制御プログラムが記憶されている。制御部１６は、ＲＯＭに記憶されている制御プログラムを読み出し、制御プログラムをＲＡＭに展開させることで、操作部１１から入力された各種指示情報に応じて装置全体の制御を行う。
【００２１】
また、制御部１６は、ユーザー管理部３１、定型印刷判定部３２、余白印刷制御部３３として機能する。
【００２２】
ユーザー管理部３１は、操作部１１によって入力を受け付けたユーザーＩＤと、ユーザー情報２１とを照合し、入力を受け付けたユーザーＩＤがユーザー情報２１に登録されている場合に、ログイン処理を行い、画像形成装置１０の使用を許可する。以下、使用が許可されたユーザーをログインユーザーと称す。なお、ユーザーＩＤは、図示しないカード情報読取部によって、近距離無線通信技術等を用いてＩＤカードから読み取るようにしても良い。
【００２３】
定型印刷判定部３２は、操作部１１からコンタクトガラスに載置された原稿のコピー指示を受け付けると、原稿読取部１２によって読み取られた画像データを定型印刷判定データ２３に基づいて判定することで、コンタクトガラスに載置された原稿が余白印刷設定情報２２に設定されている定型原稿か否かを判断する。
【００２４】
余白印刷制御部３３は、定型印刷判定部３２によってコンタクトガラスに載置された原稿が定型印刷判定データ２３に設定されている定型原稿であると判断された場合、原稿読取部１２によって読み取られた画像データにおける余白領域に、余白印刷設定情報２２に設定されている余白印刷物を合成する。
【００２５】
次に、本実施の形態の画像形成装置１０による余白印刷動作について図３乃至図６を参照して詳細に説明する。
操作部１１からコンタクトガラスに載置された原稿のコピー指示を受け付けると、制御部１６は定型印刷判定部３２として機能する。定型印刷判定部３２は、原稿読取部１２によって読み取られた画像データを定型印刷判定データ２３に基づいて判定することで、コンタクトガラスに載置された原稿が、余白印刷設定情報２２においてログインユーザーの部署に設定されている定型原稿か否かを判断する（ステップＳ１）。
【００２６】
ステップＳ１で定型原稿であると判断された場合、制御部１６は余白印刷制御部３３として機能する。余白印刷制御部３３は、図４（ａ）に示すような余白印刷確認画面４０を操作部１１に表示させ（ステップＳ２）、余白印刷の可否をログインユーザーに問い合わせる（ステップＳ３）。余白印刷確認画面４０には、コンタクトガラスに載置された原稿が定型原稿であることを通知して余白印刷の可否を問い合わせる確認メッセージ欄４１と、余白印刷を了承する了承ボタン４２と、余白印刷を拒否する拒否ボタン４３とがレイアウトされている。
【００２７】
ステップＳ３で余白印刷が了承、すなわち余白印刷確認画面４０において了承ボタン４２が操作されると、余白印刷制御部３３は、図４（ｂ）に示すような余白印刷物選択画面５０を操作部１１に表示させ、余白印刷設定情報２２に設定されている余白印刷物の中で余白領域に合成する余白印刷物の選択をログインユーザーに問い合わせる（ステップＳ４）。余白印刷物選択画面５０には、余白印刷物の選択を依頼する選択依頼メッセージ５１と、チェックボックスによって余白印刷物を選択する余白印刷物選択欄５２と、ＯＫボタン５３とがレイアウトされている。なお、余白印刷設定情報２２に設定されている余白印刷物の中で、余白領域に入らないものは、余白印刷物選択欄５２で選択不可とすると良い。また、余白印刷物選択欄５２では、１つのみを選択するのではなく、複数の余白印刷物を選択可能にしても良い。
【００２８】
余白印刷物選択画面５０において、ＯＫボタン５３が操作されると、余白印刷制御部３３は、図５（ａ）に示すように余白印刷レイアウト設定画面６０を表示させ、余白印刷のレイアウトを問い合わせる（ステップＳ５）。余白印刷レイアウト設定画面６０には、チェックボックスによって定型原稿の周辺に余白領域（以下、周辺余白領域と称す）を確保するか否かを確認すると共に、確保する周辺余白領域の大きさを設定する余白確保欄６１と、チェックボックスによって定型原稿の印刷位置の移動の可否を確認する移動確認欄６２と、チェックボックスによって切り取り線を印刷するか否かを確認すると共に、切り取り線の線種及び色を設定する切り取り線設定欄６３と、ＯＫボタン６４とがレイアウトされている。
【００２９】
図６（ａ）に示す例では、余白確保欄６１で定型原稿の周辺に余白領域の確保が指示され、移動確認欄６２において移動は不可、そして、切り取り線設定欄６３において切り取り線の印刷なしに設定されている。この場合、ＯＫボタン６４が操作されると、余白印刷制御部３３は、図６（ａ）に示す画像データ内の定型原稿の位置を変更することなく、図６（ｂ）に示すように、定型原稿の周辺に余白確保欄６１で設定された周辺余白領域を確保する。そして、周辺余白領域以外の余白領域に余白印刷物選択画面５０の余白印刷物選択欄５２によって選択された余白印刷物を合成する。余白印刷物の合成は、必要に応じて９０度回転させる処理を実行し、可能な限りの数を配置して合成する。図６（ｂ）に示す例では、余白印刷物として４個の回覧表が配置されている。
【００３０】
図５（ｂ）に示す例では、余白確保欄６１で定型原稿の周辺に余白領域の確保が指示されておらず、移動確認欄６２において移動は可、そして、切り取り線設定欄６３において切り取り線の印刷ありに設定されている。この場合、ＯＫボタン６４が操作されると、余白印刷制御部３３は、図６（ｃ）に示すように、画像データ内の定型原稿の位置を端部側に変更し、余白領域に余白印刷物選択画面５０の余白印刷物選択欄５２によって選択された余白印刷物を合成する。このように、定型原稿の位置を端部側に変更することで、合成する余白印刷物の数を増やすことができる。図６（ｂ）に示す例では、余白印刷物として６個の回覧表が配置されている。
【００３１】
なお、余白印刷制御部３３は、レイアウトした定型原稿及び余白印刷物における各辺を記録紙の端部、定型原稿もしくは余白印刷物に到達するまで延ばした線を切り取り線として生成して印刷させる。
【００３２】
余白印刷レイアウト設定画面６０において、ＯＫボタン５３が操作されると余白印刷制御部３３は、図６（ｂ）、（ｃ）に示すように、定型原稿と共に、余白領域に余白印刷物が合成された画像データを記録紙に印刷する余白印刷を実行し（ステップＳ６）、動作を終了する。
【００３３】
ステップＳ１で定型原稿でないと判断された場合と、ステップＳ３で余白印刷が拒否、すなわち余白印刷確認画面４０において拒否ボタン４３が操作された場合とには、制御部１６は、原稿読取部１２によって読み取られた画像データを記録紙に印刷する通常印刷を実行し（ステップＳ７）、動作を終了する。
【００３４】
なお、本実施の形態では、余白印刷レイアウト設定画面６０において定型原稿の周辺に周辺余白領域を設定可能に構成したが、余白印刷物の合成を許可する合成許可領域を設定するに構成しても良い。例えば、記録紙を上下もしくは左右に定型原稿が切れない所定割合で分割させ、定型原稿の含まれていない範囲を、余白印刷物の合成を許可する合成許可として設定するようにしても良い。
【００３５】
以上説明したように、本実施の形態によれば、コンタクトガラスに載置された載置原稿の画像データを読み取る原稿読取部１２と、原稿読取部１２によって読み取られた画像データを記録紙に印刷する印刷部１５とを備えた画像形成装置１０であって、載置原稿が、記録紙に印刷を行った際に余白領域が生じてしまう予め設定された定型原稿であるか否かを判定する定型印刷判定部３２と、載置原稿が定型原稿である場合、余白領域に予め設定された余白印刷物を合成し、定型原稿と共に、余白領域に余白印刷物が合成された画像データを印刷部１５によって印刷させる余白印刷制御部３３と、を備えている。
この構成により、免許証や保険証等の小サイズの定型原稿をコピーする場合に、余白領域を有効に活用することができる。
【００３６】
さらに、本実施の形態において、余白印刷制御部３３は、余白印刷レイアウト設定画面６０の余白確保欄６１によって定型原稿の周辺に確保する周辺余白領域の設定を受け付け、周辺余白領域以外の余白領域に余白印刷物を合成する。また、余白印刷制御部３３は、余白印刷物の合成を許可する合成許可領域の設定を受け付け、合成許可領域に余白印刷物を合成する。
この構成により、定型原稿の周辺余白領域や、余白印刷物を合成する余白領域を状況に応じて設定することができる。
【００３７】
さらに、本実施の形態において、余白印刷制御部３３は、余白印刷レイアウト設定画面６０の移動確認欄６２によって定型原稿の印刷位置の移動の可否を確認し、移動可の場合、画像データ内の定型原稿の位置を端部側に変更する。
この構成により、合成する余白印刷物の数を増やし、余白領域をより有効に活用することができる。
【００３８】
さらに、本実施の形態において、余白印刷制御部３３は、余白印刷レイアウト設定画面６０の切り取り線設定欄６３によって切り取り線を印刷するか否かを確認し、切り取り線の印刷ありの場合、画像データ内の定型原稿及び余白印刷物における各辺を端部、定型原稿もしくは余白印刷物に到達するまで延ばした線を切り取り線として生成して印刷させる。
この構成により、免許証等の定型原稿や回覧表等の余白印刷物は、はさみで切り取って使用することが多いため、切り取り線によって簡単かつ正確に切り離すことができる。
【００３９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４０】
１０  画像形成装置
１１  操作部
１２  原稿読取部
１３  記憶部
１４  画像処理部
１５  印刷部
１６  制御部
２１  ユーザー情報
２２  余白印刷設定情報
２３  定型印刷判定データ
２４  余白印刷物データ
３１  ユーザー管理部
３２  定型印刷判定部
３３  余白印刷制御部
４０  余白印刷確認画面
４１  確認メッセージ欄
４２  了承ボタン
４３  拒否ボタン
５０  余白印刷物選択画面
５１  選択依頼メッセージ
５２  余白印刷物選択欄
５３  ＯＫボタン
６０  余白印刷レイアウト設定画面
６１  余白確保欄
６２  移動確認欄
６３  切り取り線設定欄
６４  ＯＫボタン
【図１】
2018157295.tif 000003
【図２】
2018157295.tif 000004
【図３】
2018157295.tif 000005
【図４】
2018157295.tif 000006
【図５】
2018157295.tif 000007
【図６】
2018157295.tif 000008